(57)【要約】【課題】バスタブエプロン内側やカウンタエプロン内側の空間内を十分に換気して、浴室内におけるカビの発生を抑制し得る浴室の換気構造を提供する。【解決手段】周囲が浴室壁面で覆われた防水パン上にバスタブエプロンを有するバスタブが設置されると共に、防水パンのバスタブエプロン側方にカウンタを有する洗い場が設けられた浴室の換気構造であって、浴室壁面に、バスタブエプロン内側の空間及び又はカウンタエプロン内側の空間を換気する補助換気手段を、浴室内を換気する浴室換気扇とは別体で、設けたことを特徴とする。前記補助換気手段は、排出方向が屋外に設定されたり床下換気扇を有する床下に設定され、また浴室換気扇と関連付けられて作動する。【選択図】　図２
2004132569.tif 000002
【特許請求の範囲】
【請求項１】
周囲が浴室壁面で覆われた防水パン上にバスタブエプロンを有するバスタブが設置されると共に、防水パンのバスタブエプロン側方にカウンタを有する洗い場が設けられた浴室の換気構造であって、
前記浴室壁面に、前記バスタブエプロン内側の空間及び又は前記カウンタエプロン内側の空間を換気する補助換気手段を、浴室内を換気する浴室換気扇とは別体で設けたことを特徴とする浴室の換気構造。
【請求項２】
前記補助換気手段は、換気される空気の排出方向が屋外に設定されていることを特徴とする請求項１に記載の浴室の換気構造。
【請求項３】
前記補助換気手段は、換気される空気の排出方向が床下換気扇を有する床下に設定されていることを特徴とする請求項１に記載の浴室の換気構造。
【請求項４】
前記補助換気手段は、浴室壁面に設けられるドアの下端より上方に位置して前記浴室壁面に取り付けられていることを特徴とする請求項１ないし３のいずれかに記載の浴室の換気構造。
【請求項５】
前記補助換気手段は、浴室壁面の上部もしくは天井壁に設けられる前記浴室換気扇と関連付けられて作動することを特徴とする請求項１ないし４のいずれかに記載の浴室の換気構造。
【発明の詳細な説明】
【０００１】
【発明の属する技術分野】
本発明は、例えばシステムバスルーム等の浴室の換気構造に係わり、特に、バスタブエプロン内側やカウンタエプロン内側の空間内におけるカビの発生を抑制する浴室の換気構造に関する。
【０００２】
【従来の技術】
一般的に、システムバスルーム等の浴室においては、浴室内の湿気を浴室外に排出するために浴室換気扇が設けられている。従来、この浴室換気扇は、例えば特許文献１に示すように、浴室天井の浴室壁面側に配置され、この浴室換気扇の作動により、浴室内の湿気を屋外に排出するようになっている。また、浴室換気扇を浴室壁面の浴室天井側上部に配置して浴室内の湿気を屋外に排出する浴室も使用されている。
【０００３】
【特許文献１】
特開平８−２３３３３１号公報
【０００４】
【発明が解決しようとする課題】
しかしながら、これらの浴室においては、一つの浴室換気扇を浴室天井や浴室壁面上部に単に配置しているのみであるため、この浴室換気扇の作動によって、湯の蒸気等による浴室内の湿気は屋外に排出することができるものの、浴室の防水パン上に設置されるバスタブエプロン内側あるいはカウンタエプロン内側の空間内の湿気を浴室外に十分に排出することが困難で、浴室内におけるカビの発生を確実に防止することが難しいという問題点を有している。
【０００５】
すなわち、浴室換気扇が作動した場合、その空気流路が浴室壁面のドア開口部から浴室内を通り浴室換気扇から屋外への流れとなって、防水パン上に位置するバスタブエプロン内側の空間やカウンタエプロン内側の空間は、空気流路から外れる状態になると共に、これらの空間が略密閉された空間となり易く、浴室換気扇の所定時間の作動だけではこれらの空間内を十分に換気することが実質的に不可能である。そのため、これらの空間内に湿気が滞留してバスタブ側壁の外面やバスタブエプロン内面、及びカウンタエプロン内面等にカビが発生し易く、浴室内にカビの臭いが生じる等といった不都合が生じる虞がある。
【０００６】
そこで、例えばバスタブエプロンを取り外すことにより、バスタブエプロン内側の空間の洗い場側部分のカビ等を清掃除去することは可能であるが、作業が非常に煩雑である。また、手や清掃具が入らないバスタブ側壁の反洗い場側の外面部分等の清掃は不可能であり、空間内に発生したカビを全て清掃除去することは現実的でない。このような浴室のカビは、浴室自体が温度（２０〜３８℃）や湿度（７０％以上）及び栄養分（垢、石鹸糟）においてカビの生育条件に適し、特にバスタブエプロンやカウンタエプロン内側の空間は、空気が滞留してカビが非常に発生し易い状態にあり、その改善が望まれているのが実状である。
【０００７】
本発明は、このような事情に鑑みてなされたもので、その目的は、バスタブエプロン内側やカウンタエプロン内側の空間内を十分に換気して、浴室内におけるカビの発生を抑制し得る浴室の換気構造を提供することにある。
【０００８】
【課題を解決するための手段】
かかる目的を達成すべく、本発明のうち請求項１に記載の発明は、周囲が浴室壁面で覆われた防水パン上にバスタブエプロンを有するバスタブが設置されると共に、防水パンのバスタブエプロン側方にカウンタを有する洗い場が設けられた浴室の換気構造であって、前記浴室壁面に、前記バスタブエプロン内側の空間及び又は前記カウンタエプロン内側の空間を換気する補助換気手段を、浴室内を換気する浴室換気扇とは別体で設けたことを特徴とする。
【０００９】
このように構成することにより、使用する湯の蒸気等で生じる浴室内の湿気のうち、洗い場上方等の浴室内に位置する湿気は浴室換気扇の作動で浴室外に排出され、バスタブエプロン内側やカウンタエプロン内側の空間内に位置する湿気は、該空間に対応して浴室壁面に設けられた補助換気手段の作動によって浴室外に排出される。これにより、従来滞留し易かった各エプロン内側の空間内の湿気を効率的に浴室外に排出できて、該空間内が十分に換気され、浴室内の各所におけるカビ発生が抑制される。
【００１０】
そして、前記補助換気手段は、請求項２に記載の発明のように、換気される空気の排出方向が屋外に設定されたり、請求項３に記載の発明のように、換気される空気の排出方向が床下換気扇を有する床下に設定されていることが好ましい。このように構成することにより、補助換気手段で換気される空気の排出方向を屋外に設定することで、空間内の湿気が屋外に直接排出され、また、排出方向を床下換気扇を有する床下に設定することで、空間内の湿気が床下換気扇を有効活用しつつ屋外に確実に排出される。
【００１１】
また、前記補助換気手段は、請求項４に記載の発明のように、浴室壁面に設けられるドアの下端より上方に位置して前記浴室壁面に取り付けられていることが好ましい。このように構成することにより、補助換気手段が浴室壁面のドア下端より上方に取り付けられることから、補助換気手段を介した浴室内で使用する湯水の浴室外への漏出が防止され、空間内の湿気のみが浴室外に確実に排出される。
【００１２】
また、前記補助換気手段は、請求項５に記載の発明のように、浴室壁面の上部もしくは天井壁に設けられる前記浴室換気扇と関連付けられて作動することが好ましい。このように構成することにより、例えば浴室換気扇が作動してから所定時間後（少なくとも１５分後等）に補助換気手段が作動することから、浴室内の湿気を排出（換気）した後に、空間内の湿気を排出できて、空間内の湿気が効率的に浴室外に排出される。
【００１３】
【発明の実施の形態】
以下、本発明の実施の形態を図面に基づいて詳細に説明する。
図１〜図３は、本発明に係わる浴室の換気構造の一実施形態を示し、図１がその浴室内部を示す斜視図、図２がその縦断面図、図３がその動作を説明するためのタイミングチャートである。
【００１４】
図１及び図２において、浴室１は、平面視略方形状の防水パン２の周囲を取り囲むように組み付け配置された４枚の浴室壁面としての壁パネル３ａ〜３ｄ（壁パネル３ｄは図示せず）と、この壁パネル３ａ〜３ｄの上部に組み付け配置された例えばドーム形状の浴室天井としての天井パネル４とによって略箱状に形成されている。そして、防水パン２上の壁パネル３ａ側には、バスタブ５が設置されると共に、このバスタブ５の反壁パネル３ａ側の防水パン２上には洗い場６が設けられている。
【００１５】
前記バスタブ５は、側壁５ａと底壁５ｂを有し、底壁５ｂが支持部材７を介して防水パン２上に設置されることにより、底壁５ｂと防水パン２との間に所定の隙間８ｂが形成されると共に、前記洗い場６側の側壁５ａ外側には、所定間隔の隙間８ａを有してバスタブエプロン９が着脱可能に配置されている。また、バスタブ５の壁パネル３ａ側の側壁５ａ外面と壁パネル３ａ間にも所定間隔の隙間８ｃが形成され、これらの互いに連通した隙間８ａ〜８ｃによって、バスタブエプロン９の内面９ａ側の防水パン２上でバスタブ５の側壁５ａ外側に、略密閉した空間８が形成されている。
【００１６】
前記洗い場６の壁パネル３ｂ側の上面には、カウンタ１０が配置されている。このカウンタ１０は、その前面にカウンタエプロン１１が設けられ、このカウンタエプロン１１の内側には、該エプロン１１の内面１１ａ（図５参照）と壁パネル３ｂ及び防水パン２によって略密閉状態とされた空間１２が形成されている。この空間１２は、バスタブ５との連結部分に設けられた配管用の孔等（図示せず）によって前記空間８に連通状態とされている。なお、カウンタ１０の上方には、図１に示すように、ミラー１３、水栓１４、照明装置１５、収納棚１６等が組み込まれたミラーパネル１７が壁パネル３ｂに一体的に組み付けられている。
【００１７】
また、浴室１の天井パネル４で例えば該パネル４の分割部分には、浴室換気扇１８が取り付けられている。この浴室換気扇１８は、浴室１の例えば壁パネル３ｃ外側に配置されたリモコン等からなる操作盤１９に電気的に接続されており、この操作盤１９の換気スイッチ（図３参照）をオンさせることにより作動（回転）して、浴室１内の空気を浴室１外に排出するようになっている。
【００１８】
なお、浴室換気扇１８の取付位置は、図示の例に限らず、例えば天井パネル４の壁パネル３ｃ側に配置することもできるし、図１の二点鎖線で示すように、壁パネル３ｃの上部に配置することもでき、浴室１内において浴室ドアの吸気口と略対角線上に対向する位置に取り付けられることが好ましい。
【００１９】
そして、前記壁パネル３ａの下部で前記空間８と対向する部分には、補助換気手段としての補助換気扇２０が取り付けられている。この補助換気扇２０は、前記浴室換気扇１８に比較して小型低容量のものが使用され、図２に示すように、筒状のケース２１内に図示しないモータで回転する回転翼２２が配置されると共に、吸引開口部内にはフィルタ２３が配置されている。また、補助換気扇２０は、そのケース２１が浴室１の壁パネル３ａから該壁パネル３ａに対向する家屋の外壁２４に貫通する状態で配置され、前記空間８と屋外２５とが補助換気扇２０を介して連通状態とされている。
【００２０】
さらに、補助換気扇２０のケース２１の吸引開口部下端は、浴室１のドア下端である防水パン２の外周立上壁２ａの上面より所定寸法ｈ高い位置に設定されており、これにより、例えば浴室１の排水口が詰まった場合等における補助換気扇２０からの浴室１外への湯水の漏出が防止されるようになっている。そして、補助換気扇２０は、前記浴室換気扇１８と同様に、前記操作盤１９に電気的に接続されており、後述する如く前記換気スイッチがオンしてから所定時間Ｔ１後に作動して、空間８内の空気を図２の矢印イの如く屋外２５に排出するようになっている。ここで、この補助換気扇２０と前記浴室換気扇１８の動作のタイミングを図３に基づいて説明する。
【００２１】
図３（ａ）に示すように、操作盤１９に設けられた換気スイッチが時刻ｔ１で例えばパルス状にオンすると、操作盤１９内の図示しないマイコンでこのオン信号が検知され、このマイコンの指令で（ｂ）に示すように浴室換気扇１８が作動し、浴室１内の湿気が浴室１外に排出される。そして、浴室換気扇１８が作動してから予め設定されている所定時間Ｔ１が経過すると、マイコンの指令で（ｃ）に示すように補助換気扇２０が作動する。これにより、浴室１内に設けられた２つの換気扇１８、２０が作動状態となり、補助換気扇２０の作動で前記空間内８及び該空間８に連通している空間１２内の湿気が屋外に直接排出されることになる。
【００２２】
この時、補助換気扇２０の作動が、浴室換気扇１８が作動してから所定時間Ｔ１後に行われることから、浴室換気扇１８で浴室１内の湿気を浴室１外に十分に排出した後に、補助換気扇２０で空間８、１２内の湿気を屋外に排出できるので、浴室１内の湿気が空間８、１２内に入り込むことなく空間８、１２内の湿気が効率的に排出される。つまり、浴室１内に湿気がある状態で補助換気扇２０を作動させると、その湿気が着脱可能なバスタブエプロン９外周の隙間から空間８内等に入り込んでしまうが、補助換気扇２０の作動を浴室換気扇１８の作動より遅らせることで、洗い場６の面上等に位置する湿気を先ず浴室換気扇１８で屋外に確実に排出することがてきて、より効率的に空間８、１２内の湿気の排出を行うことが可能となる。
【００２３】
そして、補助換気扇２０と浴室換気扇１８が同時に所定時間作動し、浴室換気扇１８の作動開始から予め設定された換気時間Ｔ２が経過した時刻ｔ２で、浴室換気扇１８と補助換気扇２０が共に停止する。つまり、換気スイッチがオンすると、操作盤１９内の図示しないマイコン等に予め設定された時間Ｔ１、Ｔ２（但しＴ１＜Ｔ２）に応じて、浴室換気扇１８と補助換気扇２０が自動的に作動・停止されて、浴室１内の湿気や空間８、１２内の湿気が屋外に排出されることになる。
【００２４】
なお、前記所定時間Ｔ１としては、少なくとも１５分程度が好ましいことが実験的に確認されている。また、この例では、換気スイッチのオン操作によって浴室換気扇１８と補助換気扇２０が自動運転される場合について説明したが、例えば自動運転と手動運転とを切り換え可能に構成し、手動操作によって空間８、１２内の湿気を屋外に排出する構成とすることもでき、この手動操作は、例えば定期的な清掃時等に使用される。
【００２５】
また、浴室換気扇１８や補助換気扇２０の停止操作を、図３（ａ）の二点鎖線ａで示すように、換気スイッチのオフ操作によって行う構成とすることもできるし、図１及び図２の二点鎖線で示すように、バスタブエプロン９の湯水が進入し難い反カウンタ１０側の上部に吸込口３２を設けて、補助換気扇２０で浴室１内下部の湿気を空間８を介して屋外２５に排出する構成とすることもできる。
【００２６】
このように、上記実施形態の浴室１にあっては、バスタブ５のバスタブエプロン９の内側に形成される空間８に対応した壁パネル３ａに補助換気扇２０を取り付けているため、この補助換気扇２０の作動によって、空間８、１２内の湿気を浴室１外に排出することができる。特に、補助換気扇２０のケース２１を壁パネル３ａから外壁２４に貫通状態で取り付けて、ケース２１の排出口を屋外２５に露出させているため、空間８、１２内の湿気を補助換気扇２０を介して直接屋外２５に排出できると共に、補助換気扇２０を浴室換気扇１８が作動してから少なくとも１５分後に作動させるため、この補助換気扇２０によって空間８、１２内の湿気のみを屋外２５に効率的に排出することができる。
【００２７】
その結果、空間８、１２内の湿気を確実に浴室外である屋外２５に排出できて、空間８、１２内におけるカビ発生を抑制でき、浴室１内でのカビの臭いの発生等を防止することができる。また、空間８、１２内のカビ発生が防止されることから、バスタブエプロン９（あるいはカウンタエプロン１１）を取り外して行う空間８内（あるいは空間１２内）の清掃作業等を行うことなく、長期に亘り清潔な浴室１を得ることができる。
【００２８】
また、補助換気扇２０を浴室換気扇１８と関連付けて作動させることで、空間８、１２内の湿気の効率的な排出が可能になるため、補助換気扇２０として小型低容量のものを使用できて、安価な換気構造を得ることができると共に、補助換気扇２０を壁パネル３ａに取り付けることで対応できるため、例えば既存のシステムバスルーム等の浴室１にも容易に適用することが可能になる。
【００２９】
さらに、補助換気扇２０の取付高さが防水パン２の外周立上壁２ａの上面より高い位置に設定されているため、浴室１の排水口が詰まり防水パン２上に湯水が溜まった場合でも、補助換気扇２０からの湯水の漏出や補助換気扇２０が水没することによる事故等を確実に防止することができる。また、操作盤１９に設けた換気スイッチをオン操作するだけで、浴室換気扇１８と補助換気扇２０とが関連して自動的に作動・停止状態とされるため、換気のための操作を極めて簡単に行うことができて、操作性に優れた浴室１を得ることが可能になる。
【００３０】
図４及び図５は、本発明に係わる換気構造のそれぞれ他の実施形態を示す要部の縦断面図であり、以下、上記実施形態と同一部位には同一符号を付して説明する。先ず、図４に示す換気構造の特徴は、補助換気扇２０の空間８内の空気の排出方向を、床下換気扇２６を有する床下２９に設定した点にある。すなわち、補助換気扇２０を浴室１の壁パネル３ａに取り付けると共に家屋の躯体としての底壁２７に換気孔２８を形成するかもしくは躯体間に形成される開口を利用し、図の矢印ロの如く補助換気扇２０で排出される湿気を、矢印ハの如く換気孔２８等から床下２９に排出し、この湿気を床下換気扇２６によって矢印ニの如く屋外２５に排出する。
【００３１】
この構成によれば、補助換気扇２０と床下換気扇２６により空間８、１２内の湿気を屋外に排出できて、上記実施形態と同様の作用効果が得られる他に、床下換気扇２６の有効活用が図れると共に、補助換気扇２０を取り付けるために外壁２４に取付孔等を開ける必要がなくなって家屋に新たな防水構造が不要になる等、補助換気扇２０の取付構造が簡略化されるという作用効果が得られる。なお、この実施形態において、床下換気扇２６が躯体（底壁２７）上に配置される場合には、前記換気孔２８等が不要になることから、補助換気扇２０の取付構造が一層簡略化されることになる。
【００３２】
また、図５に示す換気構造の特徴は、補助換気扇２０を前記カウンタ１０のカウンタエプロン１１と対向する壁パネル３ｂに取り付けた点にある。すなわち、壁パネル３ｂの下部でカウンタエプロン１１と対向する部位に浴室換気扇１８と関連付けて作動する補助換気扇２０を取り付け、その排出方向を床下２９に設定する。この構成によれば、カウンタエプロン１１内側で家屋の内壁３３や防水パン２との間に形成される前記空間１２内の湿気を、補助換気扇２０の作動で浴室１外の床下２９に確実に排出し、床下換気扇２６を介して屋外２５に排出できて、上記実施形態と同様の作用効果を得ることができる。
【００３３】
なお、本発明は、上記した各実施形態のそれぞれに限定されるものではなく、例えば壁パネル３ａと壁パネル３ｂの両方に補助換気扇２０をそれぞれ取り付けて、各空間８、１２内の湿気を各補助換気扇２０で浴室１外にそれぞれ排出させることもでき、その場合、各補助換気扇２０の排出方向は、浴室１の家屋に対する設置位置に応じて外壁２４を介した屋外か床下２９を介した屋外かのいずれかに適宜に設定される。
【００３４】
また、上記各実施形態においては、補助換気扇２０を浴室換気扇１８と関連付けて作動させたが、本発明は補助換気扇２０と浴室換気扇１８をそれぞれ単独で作動する構成も排除するものではない。また、補助換気扇２０の作動を、図５に二点鎖線で示すように、カウンタ１０内部に配置されカウンタエプロン１１下部の吹出口３０（図１参照）から浴室１内に温風等を吹き出す浴室乾燥装置３１の作動と関連付けて行うこともできる。さらに、上記各実施形態における補助換気扇２０の取付高さ等の取付位置、補助換気扇２０自体の構成、バスタブ５やカウンタ１０の構造、浴室１の構造等も一例であって、本発明に係わる各発明の要旨を逸脱しない範囲において適宜に変更することができる。
【００３５】
【発明の効果】
以上詳述したように、請求項１に記載の発明によれば、浴室内のバスタブエプロンやカウンタエプロン内側の空間内の湿気が、該空間に対応して浴室壁面に設けられた補助換気手段の作動で浴室外に排出されるため、各空間内の湿気を浴室外に自動的に排出して該空間を十分に換気することができ、浴室内におけるカビの生育を抑制できて、カビによる臭い発生等を防止することができる。
【００３６】
また、請求項２に記載の発明によれば、請求項１に記載の発明の効果に加え、補助換気手段の排出方向が屋外に設定されているため、エプロン内側の空間内の湿気を屋外に直接排出できて、浴室内におけるカビの生育をより一層抑制することが可能となる。
【００３７】
また、請求項３に記載の発明によれば、請求項１に記載の発明の効果に加え、補助換気手段の排出方向が床下換気扇を有する床下に設定されているため、エプロン内側の空間内の湿気を床下換気扇を有効活用しつつ屋外に確実に排出できると共に、補助換気手段の取付構造の簡略化が図れる。
【００３８】
また、請求項４に記載の発明によれば、請求項１ないし３に記載の発明の効果に加え、補助換気手段が浴室壁面のドア下端より上方に設けられているため、補助換気手段から浴室外への湯水の漏出や補助換気手段が水没することによる事故等を確実に防止できて、補助換気手段に安定した換気動作が得られる。
【００３９】
また、請求項５に記載の発明によれば、請求項１ないし４に記載の発明の効果に加え、例えば浴室換気扇が作動してから所定時間後に補助換気手段が作動するため、浴室内の湿気を排出した後に、空間内の湿気を補助換気手段で排出できて、空間内の湿気の効率的な浴室外への排出が可能になる等の効果を奏する。
【図面の簡単な説明】
【図１】本発明に係わる換気構造を採用した浴室の一実施形態を示す内部斜視図
【図２】同その縦断面図
【図３】同その動作を説明するためのタイミングチャート
【図４】本発明に係わる換気構造の他の実施形態を示す要部の縦断面図
【図５】本発明に係わる換気構造のさらに他の実施形態を示す要部の縦断面図
【符号の説明】
１・・・・・・・浴室
２・・・・・・・防水パン
３ａ〜３ｄ・・・壁パネル
５・・・・・・・バスタブ
５ａ・・・・・・側壁
５ｂ・・・・・・底壁
６・・・・・・・洗い場
８・・・・・・・空間
８ａ〜８ｃ・・・隙間
９・・・・・・・バスタブエプロン
９ａ・・・・・・内面
１０・・・・・・カウンタ
１１・・・・・・カウンタエプロン
１１ａ・・・・・内面
１２・・・・・・空間
１８・・・・・・浴室換気扇
１９・・・・・・操作盤
２０・・・・・・補助換気扇
２４・・・・・・外壁
２５・・・・・・屋外
２６・・・・・・床下換気扇
２９・・・・・・床下
【図１】
2004132569.tif 000003
【図２】
2004132569.tif 000004
【図３】
2004132569.tif 000005
【図４】
2004132569.tif 000006
【図５】
2004132569.tif 000007